(57)【要約】【課題】  ケーブルが安定して保持され、また、屈曲力に対して保護され、更に、コンタクトがハウジング（インシュレータ）から抜出することを確実に防止できるケーブル用コネクタを提供する。【解決手段】  ソケットコネクタ１は、各同軸ケーブル５，５と接続する各コンタクト３，３と、各コンタクトを保持するインシュレータ２と、インシュレータに保持されるリテーナ４とから構成される。リテーナは、嵌合方向の後部側（図の右側）からインシュレータに組み込まれ、かつ、各コンタクトの２次係止バレル３ｆと当接して各コンタクトを２次係止する各２次係止部４ｂと、各同軸ケーブルを保持する各ケーブル保持部４ａ，４ａとを有する。インシュレータは、リテーナの各ケーブル保持部と対応する位置に各保持部２ｂ，２ｂを有する。リテーナがインシュレータに組み込まれた際、各ケーブル保持部と各保持部とが協働して、各同軸ケーブルを挟持する。【選択図】      図１
2005135747.tif 000002
【特許請求の範囲】
【請求項１】
コネクタは、ケーブルと接続するコンタクトと、前記コンタクトを保持するインシュレータと、前記インシュレータに保持されるリテーナとから構成され、
前記コンタクトは、前記ケーブルの芯線の裸部を圧着する裸部圧着バレルと、前記ケーブルの芯線の被覆部を圧着する被覆圧着バレルと、前記コンタクトを２次係止するための２次係止バレルとを有し、
前記リテーナは、嵌合方向の後部側から前記インシュレータに組み込まれ、かつ、前記２次係止バレルと当接して前記コンタクトを２次係止する２次係止部と、前記ケーブルを保持するケーブル保持部とを有し、
前記インシュレータは、前記リテーナのケーブル保持部と対応する位置に保持部を有し、
前記リテーナが前記インシュレータに組み込まれた際、前記ケーブル保持部と前記保持部とが協働して、前記ケーブルを挟持することを特徴とするケーブル用コネクタ。
【請求項２】
コネクタは、同軸ケーブルと接続する第１及び第２のコンタクトと、前記第１及び第２のコンタクトを保持するインシュレータと、前記インシュレータに保持されるリテーナとから構成され、
前記第１のコンタクトは、前記同軸ケーブルの芯線の裸部を圧着する裸部圧着バレルと、前記同軸ケーブルの芯線の被覆部を圧着する被覆圧着バレルと、前記第１のコンタクトを２次係止するための２次係止バレルとを有し、
前記第２のコンタクトは、前記同軸ケーブルのシールド線の裸部を圧着する裸部圧着バレルと、前記同軸ケーブルのシールド線の被覆部を圧着する被覆圧着バレルと、前記第２のコンタクトを２次係止するための２次係止バレルとを有し、
前記リテーナは、嵌合方向の後部側から前記インシュレータに組み込まれ、かつ、前記各２次係止バレルとそれぞれ当接して前記第１及び第２のコンタクトを２次係止する第１及び第２の２次係止部と、前記同軸ケーブルを保持するケーブル保持部とを有し、
前記インシュレータは、前記リテーナのケーブル保持部と対応する位置に保持部を有し、
前記リテーナが前記インシュレータに組み込まれた際、前記ケーブル保持部と前記保持部とが協働して、前記同軸ケーブルを挟持することを特徴とする同軸ケーブル用コネクタ。
【発明の詳細な説明】
【技術分野】
【０００１】
本発明は、同軸ケーブル等のケーブル用コネクタに関し、特にインシュレータとリテーナによるケーブルの保持構造、及び、コンタクトの位置決め構造に関する。
【背景技術】
【０００２】
第１の従来の技術としてコネクタにおけるシールド電線の接続方法について説明する（例えば、特許文献１参照。）。
【０００３】
図３に示されるように、合成樹脂製のコネクタハウジング３１内に上下二段に接続用の端子３２、アース用の端子３３を収容すると共に、各端子３２，３３に接続されたシールド電線３４、リード線３５を上下に重ね合わせて、超音波溶着ホーン３６によって溶着する。
【０００４】
接続用の端子３２は、前側の圧着片３８でシールド電線３４の芯線３７に圧着接続され、後側の圧着片３９でシールド電線３４の内側被覆４０に圧着固定されている。内側被覆４０は、シールド電線３４の先端側で露出され、内側被覆４０の露出面上で編組は外側被覆４２と共に除去されている。アース用の端子３３も同様に、前側の圧着片４３でリード線３５の導体部に圧着接続され、後側の圧着片４４でリード線３５の絶縁被覆４６に圧着されている。
【０００５】
超音波溶着ホーン３６の各凹部５６，５７よって、シールド電線３４の上部中央にリード線３５が位置合わせされる。すなわち、超音波溶着ホーン３６の下降に伴って、まず、リード線３５が第２の凹部５７に係合し、次いで、シールド電線３４が第１の凹部５６に係合する。リード線３５は、第２の凹部５７の湾曲面でシールド電線３４の外側被覆４２に強く押し付けられる。
【０００６】
なお、各端子３２，３３は、コネクタハウジング３１内の可撓係止ランス５３，５９で係止される。
【０００７】
第２の従来の技術としてダブルロック型コネクタについて説明する（例えば、特許文献２参照。）。
【０００８】
コネクタは、ハウジングと、コンタクトを仮係止及び本係止するダブルロック部材とを備える。コンタクトは、ダブルロック部材を経てハウジングのコンタクト収容室にスムーズに挿入される。
【特許文献１】特開平１１−３０７２１６号公報（第２頁第２欄第４０行−第３頁第４欄第１４行、図１）
【特許文献２】実開平５−６８０８２号公報（第７頁第１３行−第９頁第７行、図１、図２）
【発明の開示】
【発明が解決しようとする課題】
【０００９】
第１の従来の技術のコネクタにおけるシールド電線の接続方法には、次の欠点がある。
【００１０】
１．超音波溶着ホーンの方向が制限されるので、多芯化する場合にコンタクトの配列の自由度が低い。
【００１１】
２．超音波溶着されるケーブルの部分は、被覆を剥がさなければならず、また、ハウジング（インシュレータ）で被覆されない。したがって、ケーブルは、屈曲力に対して保護されない。
【００１２】
３．圧着機と超音波溶着機との両方を必要とする。
【００１３】
第２の従来の技術のダブルロック型コネクタでは、ハウジングとダブルロック部材とによるケーブルの保持構造は、開示されていない。
【００１４】
そこで、本発明は、前記両従来の技術の欠点を改良し、ケーブルが安定して保持され、また、屈曲力に対して保護され、更に、コンタクトがハウジング（インシュレータ）から抜出することを確実に防止でき、しかも、ケーブルとコンタクトとの接続に超音波溶着機を使用しないケーブル用コネクタを提供しようとするものである。
【課題を解決するための手段】
【００１５】
本発明は、前記課題を解決するため、次の手段を採用する。
【００１６】
１．コネクタは、ケーブルと接続するコンタクトと、前記コンタクトを保持するインシュレータと、前記インシュレータに保持されるリテーナとから構成され、前記コンタクトは、前記ケーブルの芯線の裸部を圧着する裸部圧着バレルと、前記ケーブルの芯線の被覆部を圧着する被覆圧着バレルと、前記コンタクトを２次係止するための２次係止バレルとを有し、前記リテーナは、嵌合方向の後部側から前記インシュレータに組み込まれ、かつ、前記２次係止バレルと当接して前記コンタクトを２次係止する２次係止部（２次係止突起４ｂ）と、前記ケーブルを保持するケーブル保持部（半円形溝４ａ）とを有し、前記インシュレータは、前記リテーナのケーブル保持部と対応する位置に保持部（円弧状保持部２ｂ）を有し、前記リテーナが前記インシュレータに組み込まれた際、前記ケーブル保持部と前記保持部とが協働して、前記ケーブルを挟持するケーブル用コネクタ。
【００１７】
２．コネクタは、同軸ケーブルと接続する第１及び第２のコンタクトと、前記第１及び第２のコンタクトを保持するインシュレータと、前記インシュレータに保持されるリテーナとから構成され、前記第１のコンタクトは、前記同軸ケーブルの芯線の裸部を圧着する裸部圧着バレルと、前記同軸ケーブルの芯線の被覆部を圧着する被覆圧着バレルと、前記第１のコンタクトを２次係止するための２次係止バレルとを有し、前記第２のコンタクトは、前記同軸ケーブルのシールド線の裸部を圧着する裸部圧着バレルと、前記同軸ケーブルのシールド線の被覆部を圧着する被覆圧着バレルと、前記第２のコンタクトを２次係止するための２次係止バレルとを有し、前記リテーナは、嵌合方向の後部側から前記インシュレータに組み込まれ、かつ、前記各２次係止バレルとそれぞれ当接して前記第１及び第２のコンタクトを２次係止する第１及び第２の２次係止部と、前記同軸ケーブルを保持するケーブル保持部とを有し、前記インシュレータは、前記リテーナのケーブル保持部と対応する位置に保持部を有し、前記リテーナが前記インシュレータに組み込まれた際、前記ケーブル保持部と前記保持部とが協働して、前記同軸ケーブルを挟持する同軸ケーブル用コネクタ。
【発明の効果】
【００１８】
明細書の説明から明らかなように、本発明によれば、次の効果が、奏される。
【００１９】
１．ケーブルは、インシュレータとリテーナとによって挟持されるので、安定して保持される。
【００２０】
２．コンタクトは、リテーナによって２次係止されるので、インシュレータ内からの抜出を確実に防止される。
【００２１】
３．ケーブルがインシュレータに組み込まれた後、ケーブルの芯線及びシールド線の各被覆部はインシュレータ内に収容されるので、ケーブルは屈曲力に対して保護され易い。
【００２２】
４．ケーブルとコンタクトとの接続に、圧着機のみを必要とし、従来技術とは異なって超音波溶着機を必要としない。
【００２３】
５．同軸ケーブルは芯線とシールド線とに分岐されるので、多芯化する場合にコンタクトの配列の自由度が高い。
【発明を実施するための最良の形態】
【００２４】
本発明の一実施例の同軸ケーブル用コネクタについて説明する。
【実施例１】
【００２５】
本発明の実施例１について図１と図２を参照して説明する。
【００２６】
図１（Ａ）はソケット（プラグ）コネクタ１とピン（レセプタクル）コネクタ１１とが嵌合した状態の断面図であり、図１（Ｂ）は図１（Ａ）における線Ａ−Ａによる断面図である。図２は、ソケットコネクタ１の分解斜視図である。ただし、同軸ケーブルは、除かれている。
【００２７】
ソケットコネクタ１は、略４角筒形状のソケットインシュレータ２と、ソケットインシュレータ２に挿入保持される４本の略筒形状のソケットコンタクト３と、ソケットインシュレータ２に挿入保持されるリテーナ４とから構成される。
【００２８】
ソケットインシュレータ２の中心には、断面略長方形状の貫通収容部２ａが設けられ、図１（Ａ）に示されるように、貫通収容部２ａの一方側（後部側）からソケットコネクタ１の各ソケットコンタクト３とリテーナ４と２本の同軸ケーブル５（詳細は後述する。）が挿入され、貫通収容部２ａの他方側からピンコネクタ１１（詳細は後述する。）の４本のピンコンタクト１３が挿入される。また、貫通収容部２ａの後部側の上下内壁には、２本の同軸ケーブル５用の円弧状保持部２ｂが突設されている。
【００２９】
各ソケットコンタクト３は、先端から順に、略４角筒形状のピンコンタクト用挿入部３ａと、ピンコンタクト用挿入部３ａの中間に起立形成された回転防止部３ｂと、回転防止部３ｂに隣接する１次係止切欠部３ｃと、裸部圧着バレル３ｄと、被覆圧着バレル３ｅと、２次係止バレル３ｆとから一体に構成される。
【００３０】
略直方体形状のリテーナ４には、上下に同軸ケーブル５を保持するために半円形溝４ａが形成され、前面に４本の角棒形状の２次係止突起４ｂが設けられ、側面に一対の抜出防止用突部４ｃが設けられている。
【００３１】
各同軸ケーブル５は、分岐することができる芯線５ａとシールド線５ｂとから構成される。
【００３２】
２本の同軸ケーブル５の４本のソケットコンタクト３への接続とリテーナ４への保持について説明する。まず、１本の同軸ケーブル５の芯線５ａの裸部を図２における下手前側のソケットコンタクト３の裸部圧着バレル３ｄに圧着し、同芯線５ａの被覆部を被覆圧着バレル３ｅに圧着する。次に、この同軸ケーブル５のシールド線５ｂの裸部を下向側のソケットコンタクト３の裸部圧着バレル３ｄに圧着し、同シールド線５ｂの収縮チューブ被覆部を被覆圧着バレル３ｅに圧着する。
【００３３】
続いて、他の１本の同軸ケーブル５の芯線５ａとシールド線５ｂを、それぞれ上手前側のソケットコンタクト３と上向側のソケットコンタクト３に、前述と同様に圧着する。
【００３４】
更に、４本のソケットコンタクト３をソケットインシュレータ２に組み込み、２本の同軸ケーブル５をリテーナ４の上下の半円形溝４ａにそれぞれ直交方向から押し込む。この後に、４本の２次係止突起４ｂの先端が４本のソケットコンタクト３の２次係止バレル３ｆの後端とそれぞれ当接するまで、リテーナ４をソケットインシュレータ２に組み込む。各同軸ケーブル５は、リテーナ４の各半円形溝４ａとソケットインシュレータ２の各円弧状保持部２ｂとに挟持される。
【００３５】
各ピンコンタクト３がソケットインシュレータ２の貫通収容部２ａに組み込まれたとき、各回転防止部３ｂは貫通収容部２ａの内壁に当接することによって各ピンコンタクト３の回転を防止する。各１次係止切欠部３ｃは、ソケットインシュレータ２の貫通収容部２ａ内に形成されたランス（図示せず）に係止されるので、各ピンコンタクト３は、貫通収容部２ａからの抜出を防止される。リテーナ４は、貫通収容部２ａに組み込まれたとき、一対の抜出防止用突部４ｃがソケットインシュレータ２の側面に設けられた一対の溝２ｃに係合するため、ソケットインシュレータ２からの抜出を防止される。
【００３６】
ピンコネクタ１１は、ピンインシュレータ１２と、ピンインシュレータ１２に保持される４本のピンコンタクト１３とから構成される。
【００３７】
図１（Ａ），（Ｂ）に示されるように、ソケットコネクタ１とピンコネクタ１１とが嵌合したとき、各ピンコンタクト１３の先端部は各ソケットコンタクト３のピンコンタクト用挿入部３ａ内に挿入されるので、両コネクタ１，１１は接続する。
【図面の簡単な説明】
【００３８】
【図１】本発明の一実施の形態例の同軸ケーブル用ソケットコネクタとピンコネクタとが嵌合した状態の断面図であり、（Ａ）は縦断面図、（Ｂ）は（Ａ）における線Ａ−Ａによる断面図を、それぞれ示す。
【図２】同ソケットコネクタの分解斜視図である。
【図３】従来のコネクタにおけるシールド電線の接続方法の断面図である。
【符号の説明】
【００３９】
１    ソケットコネクタ
２    ソケットインシュレータ
２ａ    貫通収容部
２ｂ    円弧状保持部
２ｃ    溝
３    ソケットコンタクト
３ａ    ピンコンタクト用挿入部
３ｂ    回転防止部
３ｃ    １次係止切欠部
３ｄ    裸部圧着バレル
３ｅ    被覆圧着バレル
３ｆ    ２次係止バレル
４    リテーナ
４ａ    半円形溝（ケーブル保持部）
４ｂ    ２次係止突起（２次係止部）
４ｃ    抜出防止用突部
５    同軸ケーブル
５ａ    芯線
５ｂ    シールド線
１１    ピンコネクタ
１２    ピンインシュレータ
１３    ピンコンタクト
【図１】
2005135747.tif 000003
【図２】
2005135747.tif 000004
【図３】
2005135747.tif 000005